(57)【特許請求の範囲】
【請求項１】
電池駆動機器内部で発生する静電気を放電させる電池駆動機器の帯電除去システムであって、
前記電池駆動機器の電池収納部に設けられ前記電池駆動機器の筐体接地と電気的接続された第１接点と、電池に設けられ前記電池を前記電池収納部から外す際に前記第１接点と電気的接続される第２接点と、前記電池に設けられ前記第２接点と電気的接続される第３接点とを含むことを特徴とする電池駆動機器の帯電除去システム。
【請求項２】
前記第３接点は前記電池を前記電池収納部から外す際に使用者の手が触れる位置に設けられることを特徴とする請求項１記載の電池駆動機器の帯電除去システム。
【請求項３】
前記電池収納部にはスライド部が設けられ、そのスライド部に前記第１接点が設けられ、前記電池には前記スライド部と嵌合するガイド部が設けられ、そのガイド部に前記第２及び第３接点が設けられることを特徴とする請求項１又は２記載の電池駆動機器の帯電除去システム。
【請求項４】
前記電池収納部のスライド部は前記電池収納部の左右側面に設けられ、前記電池のガイド部は各々の前記スライド部と嵌合するよう前記電池の左右側面に設けられることを特徴とする請求項３記載の電池駆動機器の帯電除去システム。
【請求項５】
前記第１接点は前記スライド部の一方に設けられることを特徴とする請求項４記載の電池駆動機器の帯電除去システム。
【請求項６】
前記第１接点は前記スライド部の両方に設けられることを特徴とする請求項４記載の電池駆動機器の帯電除去システム。
【請求項７】
前記電池の負極端子は前記第２及び第３接点と電気的接続されることを特徴とする請求項１乃至６いずれかに記載の電池駆動機器の帯電除去システム。
【発明の詳細な説明】
【０００１】
【発明の属する技術分野】
本発明は電池駆動機器の帯電除去システムに関し、特に電池駆動のポータブル機器の帯電除去システムに関する。
【０００２】
【従来の技術】
従来、ポータブル機器では外部からの静電気の影響を遮断する為に表面は絶縁物（モールド等）で覆い、金属部は接触できないようにしている。このため、プリンタ等を搭載した装置では、内部に静電気がたまり、ある不特定な時に放電し装置は誤動作を起こす。表面を絶縁しているかぎり内部で発生する静電気の影響は避けられない。
【０００３】
一方、特開平９−３０６４５５号公報に、バッテリを本体に挿入する際、バッテリのマイナス端子がまず本体内のＦＧ（フレーム・グラウンド；筐体接地）と接触してバッテリ内の静電気をＦＧに放電させ、次にバッテリのマイナス及びプラス端子が本体内のマイナス及びプラス端子と接触する、という技術が開示されている。この公報開示の技術によれば、バッテリを本体に挿入するたびにバッテリ内の静電気をＦＧに放電させることができる。
【０００４】
【発明が解決しようとする課題】
上記公報開示の技術はバッテリ内の静電気を本体内のＦＧに放電させるというものである。しかし、上記従来技術において解決すべき課題は本体内にたまった静電気を外部に放電させるということである。従って、上記公報開示の技術をそのまま上記従来技術の課題解決手段として採用することはできない。
【０００５】
そこで本発明の目的は、本体内にたまった静電気を外部に放電させることが可能な電池駆動機器の帯電除去システムを提供することにある。
【０００６】
【課題を解決するための手段】
前記課題を解決するために本発明は、電池駆動機器内部で発生する静電気を放電させる電池駆動機器の帯電除去システムであって、そのシステムは前記電池駆動機器の電池収納部に設けられ前記電池駆動機器の筐体接地と電気的接続された第１接点と、電池に設けられ前記電池を前記電池収納部から外す際に前記第１接点と電気的接続される第２接点と、前記電池に設けられ前記第２接点と電気的接続される第３接点とを含むことを特徴とする。
【０００７】
本発明によれば、電池を電池収納部から外す際、第１接点と第２接点とが電気的接続されることにより、本体内にたまった静電気は第１接点、第２接点，第３接点及びこの第３接点を摘んだ手を介して放電される。
【０００８】
【発明の実施の形態】
以下、本発明の実施の形態について添付図面を参照しながら説明する。まず、第１の実施の形態から説明する。図１は本発明に係る電池駆動機器の帯電除去システムに含まれる電池駆動機器本体の外観斜視図である。同図を参照すると、電池駆動機器本体１は電池収納部２を有している。図２は電池駆動機器本体１の正面図である。図３は図２のａ−ａ´断面を斜視図として表示したものである。図１乃至図３を参照すると、電池収納部２の左右側面２ａ，２ｂにはスライド部（以下、スライドレールという）２ｃ，２ｄが設けられている。一方、図３を参照すると、電池収納部２の左側面２ａには左側面２ａからスライドレール２ｃにまたがって第１接点３が設けられている。その第１接点３はスライドレール２ｃの中間付近に設けられている。
【０００９】
なお、この第１接点３と同様の第１接点４（ただし、４は図示を省略する）を電池収納部２の右側面２ｂに設けてもよい。要は、少なくとも電池収納部２の左側面２ａ及び右側面２ｂの一方に第１接点が設けられるということである。さらに、第１接点３，４は電池駆動機器本体１内の筐体接地（図示しない）と電気的接続されている。
【００１０】
次に、この電池収納部２に収納される電池の構造について説明する。図４は電池の外観斜視図である。同図を参照すると、電池１１の左右側面１１ａ，１１ｂには電池収納部２のスライドレール２ｃ，２ｄと嵌合するガイド部１１ｃ，１１ｄが設けられている。さらに、そのガイド部１１ｃ，１１ｄ各々の両端には第２接点１２，１３と第３接点１４，１５（ただし、１３及び１５は図示を省略する）が設けられている。
【００１１】
ただし、第２接点及び第３接点とをガイド部１１ｃ，１１ｄの両端に設ける必要はない。少なくとも、ガイド部１１ｃ及び１１ｄの一方に設ければ十分である。即ち、第１接点が電池収納部２の左側面２ａに設けられる場合は、第２接点及び第３接点は電池１１の左側面１１ａに設けられればよく、第１接点が電池収納部２の右側面２ｂに設けられる場合は、第２接点及び第３接点は電池１１の右側面１１ｂに設けられればよい。
【００１２】
次に、電池１１の内部結線について説明する。図５及び図６は電池１１の平面図である。なお、図５及び図６中、線材１６，１７が実線で表示されているが、便宜上実線で表示したものであり、本来は破線で表示すべきものである。図５は電池１１の左右側面１１ａ，１１ｂに第２接点及び第３接点が設けられる場合を示している。同図を参照すると、電池１１の左側面１１ａに第２接点１３と第３接点１５とが設けられ、電池１１の右側面１１ｂに第２接点１２と第３接点１４とが設けられている。
【００１３】
そして、第２接点１３と第３接点１５とは線材１６を介して電気的接続され、第２接点１２と第３接点１４とは線材１７を介して電気的接続されている。又、電池１１の先端にはプラス端子（正極端子）２０とマイナス端子（負極端子）２１とが設けられている。
【００１４】
一方、図６は電池１１の左側面１１ａだけに第２接点１３及び第３接点１５が設けられる場合を示している。もちろん、電池１１の右側面１１ｂだけに第２接点１２及び第３接点１４が設けられる場合も同様である。
【００１５】
次に、電池収納部２の構造を電池駆動機器本体１の平面図を用いて説明する。図７は電池収納部２の平面図である。なお、同図は電池収納部２内部の構造を示しており、本来は全て破線で表示されるべきものであるが、便宜上電池収納部２の左右側面２ａ，２ｂ以外は全て実線で表示した。
【００１６】
同図を参照すると、電池収納部２の左側面２ａには第１接点３が設けられ、右側面２ｃには第１接点４が設けられている。前述したように、第１接点は左右側面２ａ，２ｂのいずれかに設ければよい。又、電池収納部２の底面５には電池１１のプラス端子２０とマイナス端子２１と夫々電気的接続されるプラス端子６とマイナス端子７とが設けられている。
【００１７】
次に、本実施の形態の動作について説明する。図８及び図９は第１の実施の形態の動作を示す模式説明図である。図８は電池１１が電池収納部２に収納されている状態を示しており、図９は電池１１が電池収納部２から引き出されるある時点を示している。
【００１８】
図８を参照すると、初期状態においては、電池１１は電池収納部２に収納されており、従って、電池１１のプラス端子２０と電池収納部２のプラス端子６とは電気的接続されており、電池１１のマイナス端子２１と電池収納部２のマイナス端子７とも電気的接続されている。この時、電池収納部２の第１接点３，４のいずれも電池１１の第２接点１２、１３及び第３接点１４，１５と電気的接続されていない。
【００１９】
次に、図９を参照すると、使用者は電池１１の第３接点１４，１５を手の指（図示しない）で摘んで電池１１を電池収納部２から引き出す。すると、引き出す過程において、電池１１の第２接点１２、１３の各々が電池収納部２の第１接点３，４と電気的接続される。第２接点１２、１３と第３接点１４，１５とは線材１６，１７により電気的接続されているから、この時、電池駆動機器本体１にたまった静電気は電池駆動機器本体１内の筐体接地、電池収納部２の第１接点３，４、電池１１の第２接点１３，１４、第３接点１４，１５及び使用者の手の指を介して放電される。
【００２０】
次に、第２の実施の形態について説明する。図１０は第２の実施の形態の構造を示す平面図である。同図は図６に示した電池１１の構造とは異なる電池１１の構造を示している。第２の実施の形態における電池１１の構造（図１０）が第１の実施の形態における電池１１の構造（図６）と異なる点は、第２の実施の形態における電池１１はマイナス端子２１と線材１６とが線材２５により電気的接続されている点である。この構造によれば、電池１１を電池収納部２に差し込まない状態で電池１１の第３接点１４，１５を使用者の手の指で摘むと、電池１１内部にたまった静電気は使用者の手の指を介して放電される。
【００２１】
【発明の効果】
本発明によれば、電池駆動機器内部で発生する静電気を放電させる電池駆動機器の帯電除去システムであって、そのシステムは前記電池駆動機器の電池収納部に設けられ前記電池駆動機器の筐体接地と電気的接続された第１接点と、電池に設けられ前記電池を前記電池収納部から外す際に前記第１接点と電気的接続される第２接点と、前記電池に設けられ前記第２接点と電気的接続される第３接点とを含むため、本体内にたまった静電気を外部に放電させることが可能となる。
【００２２】
即ち、定期的に交換する電池を使用し、電池が端子から外れた状態で放電させるため、不特定に発生する静電気の影響を除去することができる。
【図面の簡単な説明】
【図１】本発明に係る電池駆動機器の帯電除去システムに含まれる電池駆動機器本体の外観斜視図である。
【図２】電池駆動機器本体１の正面図である。
【図３】図２のａ−ａ´断面を斜視図として表示したものである。
【図４】電池の外観斜視図である。
【図５】電池１１の平面図である。
【図６】電池１１の平面図である。
【図７】電池収納部２の平面図である。
【図８】第１の実施の形態の動作を示す模式説明図である。
【図９】第１の実施の形態の動作を示す模式説明図である。
【図１０】第２の実施の形態の構造を示す平面図である。
【符号の説明】
１  電池駆動機器本体
２  電池収納部
２ｃ，２ｄ  スライドレール
３  第１接点
１１  電池
１１ｃ，１１ｄ  ガイド部
１２，１３  第２接点
１４，１５  第３接点
１６，１７，２５  線材
【図１】
0003555537.tif 000002
【図２】
0003555537.tif 000003
【図３】
0003555537.tif 000004
【図４】
0003555537.tif 000005
【図５】
0003555537.tif 000006
【図６】
0003555537.tif 000007
【図７】
0003555537.tif 000008
【図８】
0003555537.tif 000009
【図９】
0003555537.tif 000010
【図１０】
0003555537.tif 000011